【事件の表示】
　特願２００７−　３６４３３「電子血圧計」拒絶査定不服審判事件〔平成１９年　５月２４日出願公開、特開２００７−１２５４２７〕について、次のとおり審決する。
【結　論】
　本件審判の請求は、成り立たない。
【理　由】
第１　手続の経緯
　本願は、平成１７年８月１５日に出願した特願２００５−２３５１４８号（以下、「原出願」という。）の一部を平成１９年２月１６日に新たな特許出願としたものであって、平成１９年７月２日付けで拒絶査定がされ、これに対し、同年８月８日に拒絶査定不服審判の請求がされるとともに、同年９月７日付けで手続補正（以下、「本件補正」という。）がなされたものである。
　
　
第２　本件補正の補正却下の決定
［補正却下の決定の結論］
　平成１９年９月７日付けの手続補正を却下する。
［理由］
１．補正後の本願発明
　本件補正は、特許請求の範囲を補正するものであって、平成１９年６月１１日付け手続補正書の特許請求の範囲の請求項１を、
「被測定者の血圧を測定する血圧測定手段と、
　記憶部と、
　表示部と、
　前記血圧測定手段により測定された前記血圧のデータと血圧測定時の測定条件とを関連付けて、前記記憶部に格納するデータ格納手段と、
　所定種類の前記測定条件下で測定された最高血圧データ群の血圧データと、前記所定種類とは異なる種類の前記測定条件下で測定された最高血圧データ群の血圧データを前記記憶部から読出し、平均値をそれぞれ算出する平均値算出手段と、
　前記平均値算出手段により算出された前記所定種類の前記測定条件下で測定された前記最高血圧データ群内の平均の血圧データを示す第１代表血圧データの値および当該測定条件の種類を指す表示と、前記平均値算出手段により算出された前記所定種類とは異なる種類の前記測定条件下で測定された前記最高血圧データ群内の平均の血圧データを示す第２代表血圧データの値および当該測定条件の種類を指す表示とを並べて前記表示部に同時に実行させる制御手段とを備え、
　前記所定種類の測定条件は朝の測定を指し、前記所定種類とは異なる種類の前記測定条件は夜の測定を指し、
　
前記所定種類の測定条件の種類を指す表示は‘朝’の文字表示であり、前記所定種類とは異なる種類の前記測定条件の種類を指す表示は‘夜’の文字表示である、
　上記補正は、所定種類の測定条件の種類を指す表示を「‘朝’の文字表示」と限定し、前記所定種類とは異なる種類の測定条件の種類を指す表示を「‘夜’の文字表示」と限定するものである。したがって、本件補正は、発明特定事項を限定するものであるから、平成１８年法律第５５号改正附則第３条第１項によりなお従前の例によるとされる同法による改正前の特許法第１７条の２第４項第２号の特許請求の範囲の減縮を目的とするものに該当する。
　そこで、本願補正発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２．引用刊行物記載の発明
（１）引用刊行物１
　原査定の拒絶の理由に引用され、本願の原出願の出願前に頒布された刊行物である特開昭６１−１９３６３８号公報（以下、「引用例」という。）には、下記の記載がある。
［１ａ］「　本発明は上記の事情に鑑み、血圧計によって得られた血圧データを１時間毎に効率よく分析することができるとともに、この分析結果を解り易い形式で表示することができる血圧データ処理装置を提供することを目的としている。」（第２頁左上欄第１〜５行）
［１ｂ］「《実施例》
　以下、図面を参照して本発明の実施例を説明する。第２図は本発明の一実施例に係る血圧データ処理装置１の外観図であり、腕帯６ａ及びスタートスイツチ６ｂを備えた血圧計６と、メモリカートリツジ７と、ＭＳＸ規格のパーソナルコンピユータ８と、ＣＲＴデイスプレイ９と、プリンタ１０より構成されている。メモリカートリツジ７はパーソナルコンピユータ８に着脱自在であり、バツクアツプ電源付ＣＭＯＳ　ＲＡＭ，ＥＥＰ−ＲＯＭ，ＩＣカードや磁気カードを用いることができる。メモリカートリツジはまた、後述する血圧データ処理プログラムを内蔵し、また測定血圧データの記録を行う。」（第２頁左上欄第１５行〜同頁右上欄第８行）
［１ｃ］「　第５図のＳＴ８において、被検者が「測定」モードを選択して第３図の血圧計６の腕帯を巻いてスタートスイツチ６ｂをオンにすると、血圧計６は自動加圧を行い、本発明の装置は第６図のＳＴ２０以下に示す如く血圧及び脈搏の測定を行う。この時、画面上において、選択された「登録」モードを他のモード異なる色で表示し、以下選択されたモードは他のモードと区別するために異なる色で表示する。
　ＳＴ２０において第４図（ニ）の（ニ−１）に示すように、ＷＨＯ（Ｗｏｒｌｄ　Ｈｅａｌｔｈ　Ｏｒｇａｎｉｚａｔｉｏｎ）の「血圧のめやす」スケールを含む画像を表示する。次いでＳＴ２１においてコンピュータ８の時計機能から時刻データを読出す。
　ＳＴ２１において、測定した最高血圧と最低血圧を棒グラフ（ニ−２）の形式で表示する。この時、血圧計６の腕帯６ａの現在の圧力（ニ−３）も同様に表示する。ＳＴ２３では脈搏（ニ−４）を測定し表示する。
　次いでＳＴ２４において、今回までの測定時刻及びデータ（ニ−５）をデイジタル表示し、更にＳＴ２５において前記測定データの平均値（ニ−６）を演算して測定毎の表示色と異なる色で表示する。この時の時刻は最新の測定時の時刻を表示する。
・・・
　ＳＴ３０においては、更に第４図（ホ）に示すように、前記測定ルーチンで測定されたデータ、日時及び平均値（ホ−４）とカーソル（ホ−５）を表示する。
　カーソル（ホ−４）は最初、平均値の場所に表示する。ここで、血圧測定は通常２〜３回行って平均値を採用するので、画面の登録選択指示（カーソル）が最初平均値を指すようにし、被検者の平均値入力の操作を容易にするように構成されている。
　オペレータは登録すべきデータをカーソル（ホ−５）を移動して選択し、更に登録すべきメモコード内容をキーボード１７で選択すると、画面の（ホ−６）には、選択されたメモコードが表示される。
　ＲＴＮキーが押されると、ＳＴ３１及びＳＴ３２においてそれぞれ、選択されたカーソル（ホ−５）の位置及びメモコードを読み出し、ＳＴ３３において当該データを登録する。」（第３頁左下欄第４行〜第４頁右上欄第１８行）
［１ｄ］「　第７図（イ）のＳＴ４２において「時刻別推移グラフ」が選択されると、ＳＴ８１以下（第７図（ニ））へ分岐し、第４図（ヌ）に示す表示を行う。血圧は１日のうちでも刻々変化するので、本発明によれば１日の時間毎の血圧変化を知ることができる。
　この動作を詳細に説明すると、ＳＴ８２において２３時台のデータを読出して最初の時間とする。次いでＳＴ８３において１時間分のデータを読出し、読出した１時間分のデータが複数の場合にはＳＴ８４からＳＴ８５へ進んで平均化し、更にＳＴ８６で当該時間帯のデータ数（ヌー１）を表示する。ＳＴ８７では１時間毎に平均化された血圧データの棒グラフ及び脈搏の折線グラフを表示する。以下、０時台までのデータ処理を行うまでＳＴ８３〜ＳＴ９０を繰返す。
　このグラフにおいてもオペレータは、カーソル（ヌ−２）を移動することにより、指定した時間帯の詳細データを得ることができる。
　ＳＴ９１においてカーソル（ヌ−２）の位置を読出し、当該時間帯の時刻（ヌ−３）及びデータ（ヌ−４）を表示する。カーソル（ヌ−２）が移動されると、ＳＴ９１からＳＴ９２．ＳＴ９３を介してＳＴ９１へ戻る。ＳＴ９２においてＰＦキーが押されると、基本プログラムに戻る。」（第５頁右下欄第２０行〜第６頁右上欄第４行）
［１ｅ］第４図（ホ）には、血圧登録画面に、日付、時刻、最高血圧等の各測定データと、最高血圧等の平均データが表示されることが記載されている。
［１ｆ］第４図（ヌ）には、時刻別推移グラフとして、並べて同時に表示された各時間帯の血圧データの棒グラフと、カーソル（ヌ−２）位置の血圧データの棒グラフに対応する時刻を示す数値（ヌ−３）、最高血圧（ヌ−４）が表示されることが記載されている。
　上記の記載によれば、引用例には、
「血圧計６と、メモリカートリツジ７と、ＭＳＸ規格のパーソナルコンピユータ８と、ＣＲＴデイスプレイ９と、プリンタ１０より構成されており、『測定』モードで、測定された最高血圧を含むデータ、日時及び平均値とカーソルを表示し、ＲＴＮキーが押されると、選択されたカーソルの位置及びメモコードを読み出し、当該データを登録し、『時刻別推移グラフ』が選択されると、１時間分のデータを読出し、読出した１時間分のデータが複数の場合には平均化し、１時間毎に平均化されて並べて同時に表示された各時間帯の血圧データの棒グラフを含む時刻別推移グラフを表示し、カーソルを移動することにより、指定した時間帯の時刻を示す数値及び最高血圧のデータを表示する、血圧データ処理装置１。」の発明（以下、「引用例発明」という。）が記載されていると認められる。
　
３．対比
　本願補正発明と引用例発明とを対比する。
（ア）引用例発明の「血圧計６」は、本願補正発明の「被測定者の血圧を測定する血圧測定手段」に相当する。
（イ）引用例発明の「メモリカートリツジ７」は、本願補正発明の「記憶部」に相当する。
（ウ）引用例発明の「ＣＲＴデイスプレイ９」は、本願補正発明の「表示部」に相当する。
（エ）引用例発明の「ＭＳＸ規格のパーソナルコンピユータ８」は、「測定された最高血圧を含むデータ、日時及び平均値とカーソルを表示し、ＲＴＮキーが押されると、選択されたカーソルの位置及びメモコードを読み出し、当該データを登録」する作用を有するから、本願補正発明の「前記血圧測定手段により測定された前記血圧のデータと血圧測定時の測定条件とを関連付けて、前記記憶部に格納するデータ格納手段」を備えているといえる。
（オ）引用例発明の特定の時間帯の「１時間分」のデータは、本願補正発明の「所定種類の前記測定条件下で測定された」データに相当し、他の時間帯の「１時間分」のデータは、本願補正発明の「前記所定種類とは異なる種類の前記測定条件下で測定された」データに相当する。また、引用例発明の登録されるデータには最高血圧が含まれ、表示されるデータにも最高血圧のデータが含まれることから、引用例発明の読み出される「１時間分のデータ」には、最高血圧データ群の血圧データが含まれている。
　以上から、引用例発明の「ＭＳＸ規格のパーソナルコンピユータ８」は、「１時間分のデータを読出し、読出した１時間分のデータが複数の場合には平均化」する作用を有するから、本願補正発明の「所定種類の前記測定条件下で測定された最高血圧データ群の血圧データと、前記所定種類とは異なる種類の前記測定条件下で測定された最高血圧データ群の血圧データを前記記憶部から読出し、平均値をそれぞれ算出する平均値算出手段」を備えているといえる。
（カ）引用例発明の「ＭＳＸ規格のパーソナルコンピユータ８」は、「１時間毎に平均化されて並べて同時に表示された血圧データの棒グラフを含む時刻別推移グラフを表示」する作用を有するから、引用例発明の「ＭＳＸ規格のパーソナルコンピユータ８」と本願補正発明の「前記平均値算出手段により算出された前記所定種類の前記測定条件下で測定された前記最高血圧データ群内の平均の血圧データを示す第１代表血圧データの値および当該測定条件の種類を指す表示と、前記平均値算出手段により算出された前記所定種類とは異なる種類の前記測定条件下で測定された前記最高血圧データ群内の平均の血圧データを示す第２代表血圧データの値および当該測定条件の種類を指す表示とを並べて前記表示部に同時に実行させる制御手段」とは、「前記平均値算出手段により算出された前記所定種類の前記測定条件下で測定された前記最高血圧データ群内の平均の血圧データと、前記平均値算出手段により算出された前記所定種類とは異なる種類の前記測定条件下で測定された前記最高血圧データ群内の平均の血圧データとを並べて前記表示部に同時に実行させる制御手段」を備えている点で共通する。
　
　したがって、両者は、
「被測定者の血圧を測定する血圧測定手段と、記憶部と、表示部と、前記血圧測定手段により測定された前記血圧のデータと血圧測定時の測定条件とを関連付けて、前記記憶部に格納するデータ格納手段と、所定種類の前記測定条件下で測定された最高血圧データ群の血圧データと、前記所定種類とは異なる種類の前記測定条件下で測定された最高血圧データ群の血圧データを前記記憶部から読出し、平均値をそれぞれ算出する平均値算出手段と、前記平均値算出手段により算出された前記所定種類の前記測定条件下で測定された前記最高血圧データ群内の平均の血圧データを示す第１代表血圧データの値および当該測定条件の種類を指す表示と、前記平均値算出手段により算出された前記所定種類の前記測定条件下で測定された前記最高血圧データ群内の平均の血圧データと、前記平均値算出手段により算出された前記所定種類とは異なる種類の前記測定条件下で測定された前記最高血圧データ群内の平均の血圧データとを並べて前記表示部に同時に実行させる制御手段とを備える、電子血圧計。」である点で一致し、以下の点で相違する。
［相違点］測定条件が、本願補正発明では「朝の測定」および「夜の測定」であるのに対し、引用例発明では１時間毎の時刻であり、また、制御手段により並べて前記表示部に同時に実行される表示が、本願補正発明では各「代表血圧データ」と測定条件の種類を指す「‘朝’の文字表示」および「‘夜’の文字表示」であるのに対し、引用例発明では血圧データの棒グラフであって、代表血圧データである平均化された最高血圧のデータと測定条件の種類である時刻を示す数値は指定した時間帯のもののみが表示される点。
　
４．判断
　上記相違点について検討すると、血圧の値を集計するにあたり、朝の血圧と夜の血圧を明記して評価することは周知である。例えば、「家庭血圧測定条件設定の指針」（日本高血圧学会，平成１５年９月３０日発行）の第２０頁「７章　集計」の右欄第２１〜２２行には、「評価に際しては朝の家庭血圧，晩の家庭血圧を明記して評価すべきである。」と記載されており、平成１７年４月２０日に公開された“日本初　早朝高血圧の確認に役立つ「起床後」「就寝前」測定機能搭載　オムロン　デジタル自動血圧計　ＨＥＭ−５００１「メディノート」　８週間分の週平均、２年分の月平均の血圧をグラフ表示　４月２５日発売”，［online］，平成１７年４月２０日，オムロンヘルスケア株式会社，[平成２１年３月１２日検索]，インターネット＜http://www.omron.co.jp/press/2005/04/h0420.html?print＞にも、「『起床後』と『就寝前』の最高血圧／最低血圧がグラフ表示される」ことが記載されている。また、表示すべき情報をどのように選択し、配置するかは、表示面積や見やすさなどの観点にしたがって、当業者が適宜設計しうる事項である。
　したがって、引用例発明において、１時間毎の測定条件で集計し、血圧データの棒グラフの表示を並べて表示部に同時に実行する代わりに、「朝の測定」および「夜の測定」の各測定条件で集計し、各「代表血圧データ」と測定条件の種類を指す「‘朝’の文字表示」および「‘夜’の文字表示」を並べて表示部に同時に実行することは、当業者が容易に想到しうることである。
　
　そして、本願補正発明の効果は、引用例に記載された発明および周知技術から当業者が予想できる範囲のものであって、格別なものであるとはいえない。
　したがって、本願補正発明は、引用例に記載された発明および周知技術に基づいて当業者が容易に発明をすることができたものであるから、特許法第２９条第２項の規定により、特許出願の際独立して特許を受けることができないものである。
　
５．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明
１．本願発明の認定
　本件補正は、上記のとおり却下されることとなったので、本願の請求項１〜７に係る発明は、平成１９年６月１１日付け手続補正書の特許請求の範囲の請求項１〜７に記載された事項により特定されるとおりのものと認められ、その請求項１に係る発明は以下のとおりである。
「被測定者の血圧を測定する血圧測定手段と、
　記憶部と、
　表示部と、
　前記血圧測定手段により測定された前記血圧のデータと血圧測定時の測定条件とを関連付けて、前記記憶部に格納するデータ格納手段と、
　所定種類の前記測定条件下で測定された最高血圧データ群の血圧データと、前記所定種類とは異なる種類の前記測定条件下で測定された最高血圧データ群の血圧データを前記記憶部から読出し、平均値をそれぞれ算出する平均値算出手段と、
　前記平均値算出手段により算出された前記所定種類の前記測定条件下で測定された前記最高血圧データ群内の平均の血圧データを示す第１代表血圧データの値および当該測定条件の種類を指す表示と、前記平均値算出手段により算出された前記所定種類とは異なる種類の前記測定条件下で測定された前記最高血圧データ群内の平均の血圧データを示す第２代表血圧データの値および当該測定条件の種類を指す表示とを並べて前記表示部に同時に実行させる制御手段とを備え、
　前記所定種類の測定条件は朝の測定を指し、前記所定種類とは異なる種類の前記測定条件は夜の測定を指す、電子血圧計。」（以下、「本願発明」という。）
　
２．引用刊行物記載の発明
　原査定の拒絶の理由に引用された引用例およびその記載事項は、前記「第２　２．引用刊行物記載の発明」に記載したとおりである。
　
３．対比・判断
　本願発明は、本願補正発明における「‘朝’の文字表示」および「‘夜’の文字表示」とする限定を省いたものである。
　そうすると、本願発明の構成要件をすべて含み、さらに限定を付加したものに相当する本願補正発明が、前記「第２　４．判断」に記載したとおり、引用例に記載された発明および周知技術に基づいて当業者が容易に発明をすることができたものであるから、本願発明も同様の理由により、当業者が容易に発明をすることができたものである。
　
４．むすび
　以上のとおり、本願発明は、引用例に記載された発明および周知技術に基づいて当業者が容易に発明をすることができたものであるから、特許法第２９条第２項の規定により特許を受けることができない。
　したがって、その他の請求項に係る発明について言及するまでもなく、本願は拒絶すべきものである。
　よって、結論のとおり審決する。